(57)【要約】【課題】ＡＬＣ縦壁パネル下部を建物躯体に取り付けるとともに、パネルの高さ調節が容易である自重受け金具を提供する。【解決手段】自重受け金具は、パネル表面に当接する垂直片とパネルを担持する自重受け片とがＬ字状を成し、鉄骨梁上面のＬ型アングルの立設片に係止される係止片が垂直片のパネル当接面と反対側の躯体係止面の両端から垂下して設けられており、さらに、その躯体係止面に固着されたナットにパネルの高さ調節をする調節ボルトが螺合され、その調節ボルトの螺刻部の直径はボルト回動用冶具が嵌合する嵌合部の直径より大きく、また、該調節ボルト先端が前記Ｌ型アングルの立設片に当接される自重受け金具。【選択図】図１
2004156233.tif 000002
【特許請求の範囲】
【請求項１】
ＡＬＣ縦壁パネルと鉄骨梁上面に固定されたＬ型アングルとの間に介在させてパネルの上下方向の高さ調節をしてパネル下部を該Ｌ型アングルに取付固定する自重受け金具であって、
該自重受け金具は、前記パネル表面に当接する垂直片とパネルを担持する自重受け片とがＬ字状を成し、前記Ｌ型アングルの立設片に係止される係止片が前記垂直片のパネル当接面と反対側の躯体係止面の両端から垂下して設けられており、さらに、その躯体係止面に固着されたナットにパネルの高さ調節をする調節ボルトが螺合され、その調節ボルトの螺刻部の直径はボルト回動用治具が嵌合する嵌合部の直径より大きく、また、該調節ボルト先端が前記Ｌ型アングルの立設片に当接されることを特徴とする自重受け金具。
【請求項２】
調節ボルトの中心は、躯体係止面から３〜２０ｍｍ離間している請求項１記載の自重受け金具。
【請求項３】
調節ボルトは六角穴付きボルトまたは六角穴付き止めネジである請求項１または２記載の自重受け金具。
【請求項４】
調節ボルトは長さが２０〜９０ｍｍであり、かつ、ナットの高さが１０ｍｍ以上である請求項１、２または３記載の自重受け金具。
【請求項５】
垂直片近傍で自重受け片が下方に屈曲されている請求項１〜４のいずれか１項記載の自重受け金具。
【請求項６】
自重受け片の幅方向の端部が下方に折曲されている請求項１〜５のいずれか１項記載の自重受け金具。
【発明の詳細な説明】
【０００１】
【発明の属する技術分野】
本発明は、ＡＬＣ縦壁パネル下部を建物躯体に取り付ける自重受け金具に関する。
【０００２】
【従来の技術】
ＡＬＣ縦壁パネル下部を建物躯体に取付ける自重受け金具として、図１０および図１１に示す自重受け金具５１が知られている。（特許文献１参照。）
すなわち、図１０に示す自重受け金具５１は、ＡＬＣパネル（以下パネルという。）の下端部を担持する水平部５３と、鉄骨梁上面に溶接固定されるＬ型アングル９の立設片９ａを挟持する垂直部５２とからなり、垂直部５２にはナット５５が固着されており、そのナット５５にパネル１１の高さ方向の調節用の長ボルト５６が螺合されている。
【０００３】
また、図１１に示すように、この自重受け金具５１によって、上段パネル１１の下部が鉄骨梁１０の上面１０ａに溶接固定されたＬ型アングルに取付固定されている。
水平部５３と垂直部５２とからなる自重受け金具５１は、その各垂直部５２の下部が二股状となって垂下片５４が形成されており、Ｌ型アングル９の立設片９ａと下側の稲妻プレート５７とが挟持された状態で取付けられている。
そして、図１１に示すように、この下側の稲妻プレート５７がＬ型アングル９の立設片９ａに溶接固定されているとともに、下側の稲妻プレート５７に挿通されたボルト７が下段パネル１１の上部に埋設されたアンカー１２に係合されて、建物躯体に下段パネル１１が取付けられている。
【０００４】
また、他の稲妻プレート５７が自重受け金具５１の垂直部５２をパネル１１の表面との間で挟持した状態で、上側の稲妻プレート５７を挿通させたボルト７が上段パネル１１の下部に埋設されたアンカー１２に螺合することにより、建物躯体に上段パネル１１が取付固定されている。
さらに、上段パネル１１の上下方向の取付位置を調節できる長ボルト５６が、自重受け金具５１の垂直部５２に設けられている。
この長ボルト５６は、その先端がＬ型アングル９の水平片９ｂに当接した状態で回動されることにより、Ｌ型アングル９の立設片９ａに係合された自重受け金具５１全体を上下方向に摺動させる。これにより、自重受け金具５１の水平部５３に担持されたパネル１１が上下方向に高さ調節される。
【０００５】
また、ＡＬＣ縦壁パネル下部を建物躯体に取付ける固定金具として、図１２および図１３に示す固定金具７１とそれによるパネル取付構造が知られている。（特許文献２参照。）
この固定金具７１は断面が略ｈ型形状であり、垂直板７２と係合片７４、およびそれらにより形成されるアングル係合部７４ａから構成されている。
固定金具７１は、垂直板７２に設けられた長孔７２ａにボルト７を挿通させて上段パネル１１下部の埋設アンカー１２に螺合させることにより、パネル１１に取付けられる。
そして、Ｌ字型アングル９の立設片９ａにアングル係合部７４ａが係合された状態でパネル１１の高さ調節がされて、その後に係合片７４が立設片９ａに溶接固定されている。
また、垂直板７２の下部には、下段パネル１１の上部固定のために爪７３が設けられている。
【０００６】
係合片７４にはナット７５が固着されており、そのナット７５に高さ調節ボルト７６が螺合されている。
この高さ調節ボルト７６は、その先端がＬ型アングルの水平片９ｂに当接した状態で回動されることにより、Ｌ型アングル９の立設片９ａに係合された固定金具７１全体を上下方向に摺動させる。これにより、固定金具７１の垂直板７２に固定された上段パネル１１が上下方向に高さ調節される。
【０００７】
【特許文献１】
特開平９−１７７２１３号公報
【特許文献２】
特開平８−３３８０９４号公報
【０００８】
【発明が解決しようとする課題】
しかし、上記従来の技術は次の問題点があった。
すなわち、特許文献１に係る自重受け金具では、パネル高さ調節する長ボルト５６の先端（調節点Ｔ）がＬ型アングル９の水平片９ｂに当接されているために、この当接位置（調節点Ｔ）と水平部５３におけるパネル幅方向の中心点（パネル厚さ方向の重心点Ｗ）との水平距離が長くなる。（図１１参照）
この理由として、長ボルト５６の頭部が垂直部５２に干渉してしまうために、垂直部５２に長ボルト５６を極端に近づけられないことがある。
また、この長ボルト５６を回動させるとボルトが長尺であるためナット５５を中心とした「すりこぎ状の歳差運動」が発生する。
そして、これらの要因により、長ボルト５６の微少な回動がパネル高さを大きく変化させることとなり、パネル高さの微調節を困難としたり、長ボルト５６のすりこぎ状の歳差運動がＬ型アングルの立設片上における当初の設定位置から自重受け金具５１を移動させて隣接パネルとの目地間隔を変化させてしまい、パネル幅方向位置の再調整が必要となったりしていた。また、長尺なボルトであるために、回動持にボルト自身が曲がってしまうこともあった
【０００９】
さらに、長ボルトの先端（調節点Ｔ）とパネル１１縦方向の中心点（パネル高さ方向の重心点Ｐ）との垂直距離が長いため、パネルを上方へ高く調節する際に発生する室外方向へパネル１１を傾倒させようとするモーメントが大きくなる。
なお、特許文献１では、図１１に示すように、上記の歳差運動とパネルの傾倒を規制するためＬ型アングル９の上面に突起９ｃが設けられている。
【００１０】
特許文献２に係る固定金具７１では、パネル高さ調節する高さ調節ボルト７６の先端（調節点Ｔ）がＬ型アングル９の水平片９ｂに当接されている。
そして、固定金具７１の垂直板７２の長孔７２ａを挿通して締め付け係合しているボルト７とアンカー１２とにより、パネル１１の全重量が担持されている。
なお、この固定金具７１は上下段パネル間の目地部にシーリング材を十分に充填するためにパネルの自重受け部を小さくすること、もしくは廃止することを課題としており、爪７３は自重受けの機能は有しておらず、下段パネルの上部固定用のために設けられている。
【００１１】
そのため、パネルの全重量を負担してもそれに耐え得る大きな剪断力あるいは引き抜き強度を備えたアンカー１２が必要となる。しかし、ＡＬＣパネルは母材が脆弱であるために、それほど大きな引き抜き耐力をアンカー１２に具備させることはできない。
さらに、垂直板７２および係合片７４は板金を折曲させた構造であるため、重量の大きな大型パネルの取付けに対しては、固定金具自体が変形してパネルの傾倒が生じてしまい十分な取付強度を得ることができない。
た。
そこで、本発明の目的は上記問題点を解決して、ＡＬＣ縦壁パネル下部を建物躯体に取り付けるとともに、パネルの高さ調節が容易である自重受け金具を提供することにある。
【００１２】
【課題を解決するための手段】
本発明は前記課題を解決するために、
ＡＬＣ縦壁パネルと鉄骨梁上面に固定されたＬ型アングルとの間に介在させてパネルの上下方向の高さ調節をしてパネル下部を該Ｌ型アングルに取付固定する自重受け金具であって、
該自重受け金具は、前記パネル表面に当接する垂直片とパネルを担持する自重受け片とがＬ字状を成し、前記Ｌ型アングルの立設片に係止される係止片が前記垂直片のパネル当接面と反対側の躯体係止面の両端から垂下して設けられており、さらに、その躯体係止面に固着されたナットにパネルの高さ調節をする調節ボルトが螺合され、その調節ボルトの螺刻部の直径はボルト回動用治具が嵌合する嵌合部の直径より大きく、また、該調節ボルト先端が前記Ｌ型アングルの立設片に当接される自重受け金具とした。
さらに、本発明においてより好ましい条件を次に示す。
（１）高さ調節ボルトの中心は、躯体係止面から３〜２０ｍｍ離間している。
（２）調節ボルトは六角穴付きボルトまたは六角穴付き止めネジとする。
（３）調節ボルトは長さが２０〜９０ｍｍであり、かつ、ナットの高さが１０ｍｍ以上とする。
（４）垂直片近傍で自重受け片が下方に屈曲されている。
（５）自重受け片の幅方向の端部が下方に折曲されている。
【００１３】
【発明の実施の形態】
以下、本発明の実施形態を図１〜図９に基づいて説明する。なお、符号は従来例と同一のものは同一符号を付した。
図１に本発明の自重受け金具の一実施形態の斜視図を示し、図２はその（ａ）正面図、（ｂ）平面図、（ｃ）右側面図を示す。また、図３および図９にその自重受け金具のパネル下部への取付けの状態を示す。
【００１４】
図１に示す自重受け金具１は、図３または図９に示すように、ＡＬＣ縦壁パネル１１と鉄骨梁１０の上面１０ａに固定されたＬ型アングル９との間に介在させて、さらにパネル１１の上下方向の高さ調節をしてパネル下部をＬ型アングル９に取付固定する自重受け金具１である。
この自重受け金具１は、パネル１１の表面に当接する垂直片２と下方小口面を担持する自重受け片３とがＬ字状を形成し、垂直片２のパネル当接面と反対側の躯体係止面の両端から垂下する係止片４が設けられている。
この垂直片２と係止片４との間に形成された係合溝４ａにＬ型アングル９の立設片９ａが勘合して自重受け金具１が係止される。
図１に示す自重受け金具１の垂直片２、自重受け片３および係止片４は、１枚の鋼板が折曲されて形成されている。金具の板厚は４ｍｍ〜１０ｍｍが好ましい。
また、垂直片２には、パネル１１に埋設されたアンカー１２に螺合させるボルトを挿通する長孔２ａが設けられている。
【００１５】
さらに、図２（ｂ）に示すように、その躯体係止面には溶接部５ａによりナット５が溶接固着されており、このナット５にパネル１１の高さ調節をする調節ボルト６が螺合されている。
ナット５と調節ボルト６とのセットを２対以上設けることにより、パネルの水平調節も調節可能となり好ましい。
図５に示すように、調節ボルト６は嵌合部６ａと螺刻部６ｂとからなり、螺刻部の直径６ｂｂがボルト回動用治具が嵌合する嵌合部の直径６ａａより大きく設定されている。
また、調節ボルト６はその先端がＬ型アングル９の立設片９ａに当接されるように自重受け金具１に設定されている。
【００１６】
調節ボルト６の螺刻部の直径６ｂｂが、ボルト回動用治具が嵌合する嵌合部の直径６ａａより大きく設定されていると、ボルト回動治具の嵌合部分が垂直片２に干渉しないため、従来の自重受け金具５１と比べて、調節ボルト６の螺刻部６ｂを垂直片２にさらに近接させて配置することが可能となる。
その結果として、調節ボルト６の先端をＬ型アングル９の立設片９ａの上端部に当接させことが可能となる。
【００１７】
調節ボルト６の先端をＬ型アングル９の立設片９ａに当接させるとともに、その状態で調節ボルト６を回動させることにより、次の効果が得られる。
１）調節ボルト６の先端（調節点Ｔ）とパネル幅方向の中心点（パネル厚さ方向の重心点Ｗ）との水平距離を短くできる。（図９参照）
２）短い調節ボルト６が使用できるため、ナット５を中心とした「すりこぎ状の歳差運動」が発生しない。（高さの長いナットを使用しなくても「すりこぎ状の歳差運動」が発生しない。）
そして、これらにより調節ボルト６の微少な回動によりパネル高さの微調節が可能となり、また、調節ボルト６の回動によるＬ型アングルの立設片９ａ上における自重受け金具１の移動がなくなる。
【００１８】
さらに、調節ボルト６の先端（調節点Ｔ）とパネル１１縦方向の中心点（パネル高さ方向の重心点Ｐ）との垂直距離が短くなるため、パネルの高さ調節する際に発生する室外方向へパネル１１を傾倒させようとするモーメントが小さくなる。
【００１９】
自重受け金具１の垂直片２の躯体係止面から調節ボルト６の中心が３〜２０ｍｍ離間していると、各部材の寸法等によるばらつきが吸収されて鉄骨梁１０の上面１０ａに固定されたＬ型アングル９の立設片９ａに常に当接されるようになり望ましい。
また、調節ボルト６としては大径の頭部がある六角穴付きボルト（図５（ａ））、六角穴付き止めネジ（図５（ｂ））および凸状嵌合部を有する特殊ボルト（図５（ｃ））が例示される。
とくに、六角穴付き止めネジ（図５（ｂ））は、その螺刻部の直径６ｂｂより大きな部分がなく、またボルト回動治具の嵌合部もさらに小さな直径となり、さらにボールポイントの六角レンチが使用できるため最も好ましい。調節ボルト６の螺刻部の直径６ｂｂは６〜１６ｍｍであるとＬ型アングル９の立設片９ａに適切に当接されて好ましい。
【００２０】
調節ボルト６はその長さが２０〜９０ｍｍであり、かつ、ナットの高さが１０ｍｍ以上であると、十分な高さ調節ができるとともに、すりこぎ状の歳差運動をより小さくすることができる。
さらに、調節ボルト６の長さが３０〜６０ｍｍであり、かつ、ナットの高さが１０〜２０ｍｍであると望ましい。
また、調節ボルト６によるパネル高さの調節代を±１５ｍｍとすることが好ましい。
例えば、調節ボルト６として六角穴付き止めネジがＭ１２、（螺刻部）長さ５０ｍｍに対して、ナットはＭ１２、高さ２０ｍｍが例示できる。
【００２１】
また、図４に示すように、垂直片２近傍の自重受け片３が下方に屈曲された屈曲部３ａが設けられていると、パネル１１を室外方向へ傾倒させようとするモーメントが発生してもパネル角部が自重受け金具１に衝接して欠けることがなくなる。
屈曲部３ａは、その深さ（パネル小口面との隙間）が１ｍｍ以上で、幅を１０ｍｍ〜３０ｍｍとすると、パネル角部の欠け防止が効果的となり望ましい。
また、その最大深さ部分を２ｍｍ以上とした円弧状とすると、欠け発生の防止機能が発揮されるとともに金具製作も容易であり好ましい。
【００２２】
図１に示すように、自重受け片３の幅方向の端部が下方に折曲された折端部３ｂが設けられていると、担持されたパネル１１の面内方向のロッキングに対して自重受け片３の折端部３ｂが隙間をもって当接するようになる。これにより、自重受け片３によりパネル下方小口面が損傷することがなくなり好ましい。
この折端部３ｂは、１枚のパネルを１つの自重受け金具１で担持させる際は自重受け片３の両側端に、また、２つ以上の自重受け金具１で担持させる際はパネル幅方向中心から外側となる片側端のみに設けると良い。
【００２３】
次に自重受け金具１を用いたパネル取付構造について、図３および図６〜図９に基づいて説明をする。
鉄骨梁１０の上面１０ａに固定されたＬ型アングル９に上下層のＡＬＣパネル１１を取付固定する際は、自重受け金具１の他にプレート金具１３（図６）および取付金具１４（図７）が使用される。
図６および図８に示すように、プレート金具１３は、プレート部１３ａのＬ型アングルの立設片９ａへの溶接部１４ｆを長く確保するとともに調節ボルトの先端が当たらることがないように切欠き部１３ｂと、また、取付金具１４がプレート金具１３の下方端部から外れないようにする突起部１３ｃとが設けられている。
図７に示す取付金具１４は、ボルト挿通孔１４ｂが設けられた取付板１４ａと、その下部が延長して形成されている突出片１４ｃと、この取付板１４ａの両側縁が折り曲げられて形成されたリブ片１４ｄとから構成されており、取付板１４ａとリブ片１４ｄとの間に溝部１４ｅが形成されている。
【００２４】
図８および図９に示すように、取付金具１４のボルト挿通孔１４ｂおよびワッシャ８を挿通させたボルト７が下層パネル１１の上部アンカー１２に螺合されて、下層パネル１１に取付金具１４が取付けられている。
そして、プレート金具１３は、その突起部１３ｃを室内側になるように配設してＬ型アングル９の立設片９ａに当接された状態で切欠き部１３ｂの周縁部（溶接部１４ｆ）が立設片９ａに溶接固定されており、プレート部１３ａの下方は取付金具１４の溝部１４ｅにはめ込まれている。これにより、下層パネル１１は、その面外方向の動きが拘束されて建物躯体に取付けられている。
【００２５】
また、自重受け金具１は、図３または図９に示すように、調節ボルト６の先端がＬ型アングル９の立設片９ａの上端部に当接しているとともに、係合溝４ａがＬ型アングル９の立設片９ａに係合された状態でＬ型アングルの立設片９ａに係止片４が溶接固定されている。
このとき図９に示すように、自重受け金具１の係合溝４ａにプレート金具１３のプレート部１３ａおよびＬ型アングルの立設片９ａを併せて狭持させても、また、図８に示すように、Ｌ型アングルの立設片９ａのみを狭持させても良い。
そして、上層パネル１１の下端部が自重受け片３に担持されているとともに、自重受け金具１の水平片に設けられた長孔２ａを挿通させたボルト７が、上層パネル１１の下部アンカー１２に螺合されて、上層パネル１１に自重受け金具１が取付けられている。
なお、上記のパネル取付構造によれば自重受け金具１の係止片４をＬ型アングルに溶接固定する前に、Ｌ型アングル９の立設片９ａの上端部に当接している調節ボルト６を回動させることにより、自重受け金具１の自重受け片３に担持されている上層パネル１１の上下方向の高さを調節することができる。
【００２６】
さらに、１枚の大型パネル（例えば、幅１０００ｍｍ以上、長さ２０００ｍｍ以上、厚さ１００ｍｍ以上）の建物躯体への取付の際に、自重受け金具１、プレート金具１３および取付金具１５のセットをその幅方向に２カ所以上に設置すると、重量の大きな大型パネルであっても担持できるとともに、パネルの高さやパネルの水平性が容易に調節可能となり好ましい。
【００２７】
次に自重受け金具１を用いたパネル取付方法について、図３および図６〜図９に基づいてその工程を説明する。なお、下層パネル１１の下部は建物躯体に既に取付固定されているものとする。
（１）図８および図９に示すように、取付金具１４のボルト挿通孔１４ｂおよびワッシャ８を挿通させたボルト７を、下層パネル１１の上部アンカー１２に螺合させて、下層パネル１１に取付金具１４を取付ける。
（２）プレート金具１３を、その突起部１３ｃを室内側になるように配設して、プレート部１３ａの下方を取付金具１４の溝部１４ｅにはめ込み、そしてＬ型アングル９の立設片９ａに当接させた状態で切欠き部１３ｂの周縁部（溶接部１４ｆ）を立設片９ａに溶接固定する。
これにより、下層パネル１１は、その面外方向の動きが拘束されて建物躯体に取付けられる。
【００２８】
（３）上層パネル１１の下端部を自重受け片３が担持する状態で、自重受け金具１の水平片に設けられた長孔２ａを挿通させたボルト７を、上層パネル１１の下部アンカー１２に螺合させて、上層パネル１１に自重受け金具１を取付ける。
（４）図３または図９に示すように、自重受け金具１の調節ボルト６の先端をＬ型アングル９の立設片９ａの上端部に当接させるとともに、係合溝４ａをＬ型アングル９の立設片９ａに係合させる。
このとき図９に示すように、自重受け金具１の係合溝４ａにプレート金具１３のプレート部１３ａおよびＬ型アングルの立設片９ａを併せて狭持させても、また、図８に示すように、Ｌ型アングルの立設片９ａのみを狭持させても良い。
【００２９】
（５）調節ボルト６を回動させることにより、自重受け金具１の自重受け片３に担持されている上層パネル１１の上下方向の高さを調節する。
（６）所定の高さに上層パネル１１を調整後、Ｌ型アングルの立設片９ａに自重受け金具１の係止片４を溶接部４ｂにより室内側より溶接固定する。
【００３０】
【発明の効果】
本発明によれば、自重受け金具に設けられた調節ボルト６の微少な回動によりパネル高さの微調節が可能となる。
また、パネルの高さ調節時に、調節ボルトの回動によるＬ型アングルの立設片上における自重受け金具の移動がなくなるため、パネルの高さ調節およびパネルを所定位置へ取付けることが容易となる。
【図面の簡単な説明】
【図１】本発明の自重受け金具の一実施形態を示す斜視図。
【図２】（ａ）本発明の自重受け金具の一実施形態を示す正面図。
（ｂ）本発明の自重受け金具の一実施形態を示す平面図。
（ｃ）本発明の自重受け金具の一実施形態を示す右側面図。
【図３】本発明に係る自重受け金具がパネル下部に取り付けられる状態を示す一部破断説明図。
【図４】本発明に係る自重受け金具がパネル下部に取り付けられた状態を示す断面図。
【図５】本発明に係る自重受け金具の調節ネジの例を示す斜視図。
【図６】本発明に係る自重受け金具とともに使用される稲妻型プレートを示す斜視図。
【図７】本発明に係る自重受け金具とともに使用されるパネル上部固定金具を示す斜視図。
【図８】本発明に係る自重受け金具を用いたパネルの取付構造を示す斜視図。
【図９】本発明に係る自重受け金具を用いたパネルの取付構造を示す断面図。
【図１０】従来例の自重受け金具を示す斜視図。
【図１１】従来例の自重受け金具を示す断面図。
【図１２】従来例のパネル下部の取付金具を示す斜視図。
【図１３】従来例のパネル下部の取付金具を示す断面図。
【符号の説明】
１  自重受け金具
２    垂直片
２ａ  長孔
３    自重受け片
３ａ    屈曲部
３ｂ  折端部
４    係止片
４ａ  係合溝
４ｂ  溶接部
５    ナット
５ａ  溶接部
６    調節ボルト
６ａ      嵌合部
６ａａ    嵌合部の直径
６ｂ      螺刻部
６ｂｂ    螺刻部の直径
７    ボルト
８    ワッシャ
９    Ｌ型アングル
９ａ      立設片
９ｂ    水平片
９ｃ    突起
１０    梁
１０ａ  上面
１１  ＡＬＣパネル
１２  アンカー
１３  プレート金具
１３ａ    プレート部
１３ｂ    切欠き部
１３ｃ    突起部
１４  取付金具
１４ａ  取付板
１４ｂ    ボルト挿通孔
１４ｃ    突出片
１４ｄ    リブ片
１４ｅ    溝部
１４ｆ    溶接部
５１  自重受け金具
５２  垂直部
５３  水平部
５４  垂下片
５５  ナット
５６  長ボルト
５７  稲妻プレート
７１  固定金具
７２  垂直板
７２ａ  長孔
７３  爪
７４  係合片
７４ａ  アングル係合部
７５  ナット
７６  高さ調節ボルト
Ｔ    調節点
Ｐ  パネル高さ方向の重心点
Ｗ  パネル厚さ方向の重心点
【図１】
2004156233.tif 000003
【図２】
2004156233.tif 000004
【図３】
2004156233.tif 000005
【図４】
2004156233.tif 000006
【図５】
2004156233.tif 000007
【図６】
2004156233.tif 000008
【図７】
2004156233.tif 000009
【図８】
2004156233.tif 000010
【図９】
2004156233.tif 000011
【図１０】
2004156233.tif 000012
【図１１】
2004156233.tif 000013
【図１２】
2004156233.tif 000014
【図１３】
2004156233.tif 000015